(57)【要約】【課題】  連結部を介して連結されている複数の配線・配管材支持具を、一端から順次一つずつ切り離し可能にすることである。【解決手段】  建築物の構築面に固定される固定部１と、配線・配管材を支持するための結束支持紐（支持部）２を備えた複数の配線・配管材支持具Ｓ1 がそれぞれ連結部Ｊ1 〜Ｊ4 を介して連結された配線・配管材支持具連結体Ｅ1 であって、前記各連結部Ｊ1 〜Ｊ4 は、一端に配置された配線・配管材支持具Ｓ1 から順次切り離し可能とすべく、当該一端から連結方向に沿った中央部（特定位置）に向けて連結強度が徐々に大きくなるように形成された構成とする。【選択図】  図３
2010270821.tif 000002
【特許請求の範囲】
【請求項１】
建築物の構築面に固定される固定部と、配線・配管材を支持するための支持部を備えた複数の配線・配管材支持具がそれぞれ連結部を介して連結された配線・配管材支持具連結体であって、
前記各連結部は、一端に配置された配線・配管材支持具から順次切り離し可能とすべく、当該一端から連結方向に沿った特定位置に向けて連結強度が徐々に大きくなるように形成されていることを特徴とする配線・配管材支持具連結体。
【請求項２】
前記特定位置は、配線・配管材支持具連結体の連結方向の中央部であって、前記各連結部は、両端から前記中央部に向けて連結強度が徐々に大きく形成されていることを特徴とする請求項１に記載の配線・配管材支持具連結体。
【請求項３】
前記特定位置は、連結方向に沿った他端であって、各連結部は、配線・配管材支持具連結体の一端から他端に向けて連結強度が徐々に大きく形成されていることを特徴とする請求項１に記載の配線・配管材支持具連結体。
【請求項４】
前記特定位置には吊下部が設けられていることを特徴とする請求項２又は３に記載の配線・配管材支持具連結体。
【発明の詳細な説明】
【技術分野】
【０００１】
本発明は、複数の配線・配管材支持具を一つずつ切り離し可能なように連結部を介して連結された配線・配管材支持具連結体に関するものである。
【背景技術】
【０００２】
複数の配線・配管材支持具、例えばスラブ床板の下面等に接着剤を介して吊り下げてケーブルを支持するケーブル支持具が特許文献１に開示されている。このようなケーブル支持具は、施工現場において同時に多数使用されることが多いため、これに対応して、複数個の各ケーブル支持具が連結部を介して切り離し可能に連結されている。
【０００３】
この場合において、作業者の便宜からすると、必ず一つずつ順次取り外せるようにすることが望ましいが、切り離し時の力の加え具合によって、同時に二つ又は二つ以上が一緒に切り離されたりすることがある。この場合には、再度、二つ又は二つ以上が連なったものを一つに切り離す必要があると共に、次に使用する残りの一つ又は一つ以上の配線・配管材支持具を周辺に保管するか、或いは自身で保持しながら本来の作業を行う必要があって、不便であった。
【先行技術文献】
【特許文献】
【０００４】
【特許文献１】特開２００４−２８９９６０号公報
【発明の概要】
【発明が解決しようとする課題】
【０００５】
本発明は、連結部を介して連結されている複数の配線・配管材支持具を、一端から順次一つずつ切り離し可能にすることを課題としている。
【課題を解決するための手段】
【０００６】
上記の課題を解決するための請求項１の発明は、建築物の構築面に固定される固定部と、配線・配管材を支持するための支持部を備えた複数の配線・配管材支持具がそれぞれ連結部を介して連結された配線・配管材支持具連結体であって、前記各連結部は、一端に配置された配線・配管材支持具から順次切り離し可能とすべく、当該一端から連結方向に沿った特定位置に向けて連結強度が徐々に大きくなるように形成されていることを特徴としている。
【０００７】
請求項１の発明によれば、複数の配線・配管材支持具を連結している各連結部の連結強度は、一端に配置された配線・配管材支持具から順次取り離し可能なように、当該一端から連結方向に沿った特定位置に向けて徐々に大きくなっているので、複数の配線・配管材支持具が連結された状態で、無造作に一つの配線・配管材支持具を切り離そうとした場合でも、連結部の連結強度が最も小さい一端に配置された配線・配管材支持具から前記特定位置に向けて順次切り離される。よって、不用意に２つ以上の配線・配管材支持具がまとめて切り離されることがなくなって、作業性が高められる。
【０００８】
また、請求項２の発明は、請求項１の発明において、前記特定位置は、配線・配管材支持具連結体の連結方向の中央部であって、前記各連結部は、両端から前記中央部に向けて連結強度が徐々に大きく形成されていることを特徴としている。
【０００９】
請求項２の発明によれば、各連結部の連結強度は、両端から連結方向の中央部に向けて徐々に大きくなっているので、不用意に２つ以上の配線・配管材支持具がまとめて切り離されることがなくなって、両端から中央部に向けて配線・配管材支持具を一つずつ確実に切り離すことができる。
【００１０】
また、請求項３の発明は、請求項１の発明において、前記特定位置は、連結方向に沿った他端であって、各連結部は、配線・配管材支持具連結体の一端から他端に向けて連結強度が徐々に大きく形成されていることを特徴としている。
【００１１】
請求項３の発明によれば、連結強度の最も小さい一端から、当該連結強度が最も大きな他端に向けて配線・配管材支持具を一つずつ確実に切り離すことができる。
【００１２】
請求項４の発明は、請求項２又は３の発明において、前記特定位置には吊下部が設けられていることを特徴としている。
【００１３】
請求項４の発明は、配線・配管材支持具連結体における連結強度が最も大きな特定位置には吊下部が設けられていて、当該吊下部を介して、作業者がベルトに通した吊下保持具に天秤状となって吊り下げられて使用される。よって、作業者は、一方の手で作業具を持っているために、他方の手で、吊下部を介して吊下保持具に吊り下げられた配線・配管材支持具連結体の両端の配線・配管材支持具のいずれか一方に引き離し力を加えざるを得ず、このような制約された姿勢で、一つの配線・配管材支持具を引き離さざるを得ないことが多い。このような制約姿勢の下においても、配線・配管材支持具の各連結部の連結強度は、一端から特定位置である吊下部に向けて徐々に大きくなっているため、一端から特定位置である吊下部に向けて配線・配管材支持具を一つずつ確実に引き離すことができる。
【発明の効果】
【００１４】
本発明によれば、複数の配線・配管材支持具を連結している各連結部の連結強度は、一端に配置された配線・配管材支持具から連結方向に沿った特定位置に向けて順次取り離し可能なように、当該一端から当該特定位置に向けて徐々に大きくなっているので、複数の配線・配管材支持具が連結された状態で、無造作に一つの配線・配管材支持具を切り離そうとした場合でも、連結部の連結強度が最も小さい一端に配置された配線・配管材支持具から順次前記特定位置に向けて一つずつ切り離されるため、不用意に二つ以上の配線・配管材支持具がまとめて切り離されることがなくなって、作業性が高められる。
【図面の簡単な説明】
【００１５】
【図１】釘Ｎの側から見た配線・配管材支持具連結体Ｅ1 の斜視図である。
【図２】配線・配管材支持具連結体Ｅ1 の正面図である。
【図３】配線・配管材支持具連結体Ｅ1 の各配線・配管材支持具Ｓ1 を連結する各連結部Ｊ1 〜Ｊ4 の連結強度が異なることを示す部分正面図である。
【図４】図３のＸ−Ｘ線断面図である。
【図５】作業者Ｍのベルト４１に吊り下げた吊下保持具Ｄに配線・配管材支持具連結体Ｅ1 が天秤状に吊り下げられた状態の斜視図である。
【図６】作業者Ｍが片方の手により配線・配管材支持具連結体Ｅ1 の一端の配線・配管材支持具Ｓ1 を引き離している状態の斜視図である。
【図７】配線・配管材支持具連結体Ｅ2 の各配線・配管材支持具Ｓ1 を連結する各連結部Ｊ1'〜Ｊ4'の連結強度が異なることを示す部分正面図である。
【図８】配線・配管材支持具連結体Ｅ2 の連結部Ｊ3'の模式的斜視図である。
【図９】（ａ），（ｂ）は、それぞれ配線・配管材支持具連結体Ｅ2 の平面図、及び正面図である。
【発明を実施するための形態】
【００１６】
以下、複数の実施例を挙げて、本発明を更に詳細に説明する。
【実施例１】
【００１７】
実施例１は、釘Ｎにより固定部１が建築物の側壁面（構築面）に固定される形式の配線・配管材支持具連結体Ｅ1 に対して本発明を実施したものである。図１は、釘Ｎの側から見た配線・配管材支持具連結体Ｅ1 の斜視図であり、図２は、配線・配管材支持具連結体Ｅ1 の正面図であり、図３は、配線・配管材支持具連結体Ｅ1 の各配線・配管材支持具Ｓ1 を連結する各連結部Ｊ1 〜Ｊ4 の連結強度が異なることを示す部分正面図であり、図４は、図３のＸ−Ｘ線断面図であり、図５は、作業者Ｍのベルト４１に吊り下げた吊下保持具Ｄに配線・配管材支持具連結体Ｅ1 が天秤状に吊り下げられた状態の斜視図であり、図６は、作業者Ｍが片方の手により配線・配管材支持具連結体Ｅ1 の一端の配線・配管材支持具Ｓ1 を引き離している状態の斜視図である。
【００１８】
配線・配管材支持具連結体Ｅ1 は、図１〜図４に示されるように、偶数本（実施例では１０本）の配線・配管材支持具Ｓ1 が連結部Ｊ1 〜Ｊ4 を介して互いに連結されたものである。配線・配管材支持具Ｓ1 は、釘Ｎにより側壁面（構築面）に固定される固定部１と、当該固定部１の外周部に形成された後述の挿通孔部１ｅ（図３参照）に挿通されて、配線・配管材（図示せず）を結束して支持する狭幅帯状の結束支持紐２が挿通されて、当該結束支持紐２が二枚重ね状となって垂れ下げられている。結束支持紐２は、幅方向の中央部に金属線２ａが全長に亘って埋設されることにより、結束支持紐２は塑性変形して配線・配管材を結束可能にしてある。固定部１は、図４に示されるように、内外の大小の各円筒体部１ａ，１ｂが同心に配置されて、一方の各開口が閉塞板部１ｃで閉塞されることにより、当該閉塞板部１ｃを介して内外の各円筒体部１ａ，１ｂが一体化され、前記閉塞板部１ｃの中心部に釘Ｎの先端部が仮固定状態で挿通されて、内側の円筒体部１ａ内に配置されて、釘Ｎの残り部分は、前記閉塞板部１ｃの側に露出されている。釘Ｎの先端部は、内側の円筒体部１ａ内に配置・保護されていて、当該円筒体部１ａの開口から突出していないので、取扱い時、及び使用時における双方の安全が図られている。外側の円筒体部１ｂの外周部の一部は、円筒体部１ａの全長に亘って半径方向に膨出していて、この膨出部１ｄに前記結束支持紐２を挿通させる挿通孔部１ｅが円筒体部１ａの軸方向に沿って貫通されている。挿通孔部１ｅは、狭幅帯状の結束支持紐２に対応して横長の方形状となっている。
【００１９】
各配線・配管材支持具Ｓ1 の連結方向に沿った中央の２本を除く残りの全ての配線・配管材支持具Ｓ1 は、結束支持紐２の挿通孔部１ｅが形成された膨出部１ｄに対して位相が９０°異なる部分において断面方形の連結部Ｊ1 〜Ｊ4 を介して互いに連結されている。中央の２本の配線・配管材支持具Ｓ1 は、固定部１における膨出部１ｄとほぼ対向する部分であって、しかも当該固定部１の開口に近い部分が吊下部３を介して連結されている。当該吊下部３は、作業者Ｍのベルト４１に挿通支持された後述の吊下保持具Ｄに配線・配管材支持具連結体Ｅ1 の全体を吊り下げて保持する部分である。吊下部３の上端部には、リング状の吊下環部３ａが形成されている。このため、偶数本の配線・配管材支持具Ｓ1 で構成されて、中央の２本を除く残りの配線・配管材支持具Ｓ1 は連結部Ｊ1 〜Ｊ4 を介して互いに連結されると共に、中央の２本の配線・配管材支持具Ｓ1 は吊下部３を介して連結されているため、配線・配管材支持具連結体Ｅ1 は、当該吊下部３を介して作業者Ｍのベルト４１に挿通した後述の吊下保持具に吊り下げることにより、当該吊下部３の両側がバランスすることにより天秤状に吊り下げられる。
【００２０】
各配線・配管材支持具Ｓ1 を連結する断面方形の連結部Ｊ1 〜Ｊ4 は、図３及び図４に示されるように、両端から中央部に向けた連結方向Ｐに沿って断面積を徐々に大きくすることにより、同方向に沿って連結強度を徐々に大きくしてある。断面方形の各連結部Ｊ1 〜Ｊ4 は、配線・配管材支持具Ｓ1 の固定部１に連結される一端部の断面積のみを、残りの部分の断面積よりも小さくすることにより、断面積の小さな切断部Ｊ1a〜Ｊ4aで切断されて切り離されるようになっている。なお、図３において、ハッチングで示される部分は、それぞれ各連結部Ｊ1 〜Ｊ4 の前記切断部Ｊ1a〜Ｊ4a以外の部分の断面である。
【００２１】
各連結部Ｊ1 〜Ｊ4 の連結方向Ｐに沿った長さ（ａ）は全て同一であるが、断面を構成する各辺の長さｂ1(ｂ2,ｂ3,ｂ4), ｃ1(ｃ2,ｃ3,ｃ4)は、連結方向Ｐに沿って両端から中央部に向けて徐々に大きくなっている。即ち、各連結部Ｊ1 〜Ｊ4 の断面を構成する各辺の長さｂ1(ｂ2,ｂ3,ｂ4), ｃ1(ｃ2,ｃ3,ｃ4)の間には、以下の関係が成立している。
ｂ1 ＜ｂ2 ＜ｂ3 ＜ｂ4 
ｃ1 ＜ｃ2 ＜ｃ3 ＜ｃ4 
各連結部Ｊ1 〜Ｊ4 の断面積は、それぞれ（ｂ1 ×ｃ1), （ｂ2 ×ｃ2), （ｂ3 ×ｃ3), （ｂ4 ×ｃ4)で表されるため、当該断面積は、連結方向Ｐに沿って両端から連結方向Ｐに沿った中央部に向けて徐々に大きくなっている。そして、各連結部Ｊ1 〜Ｊ4 の切断部Ｊ1a〜Ｊ4aの断面積も同様の状態で変化しているので、複数の配線・配管材支持具Ｓ1 を連結する各連結部Ｊ1 〜Ｊ4 の連結強度は、両端から連結方向Ｐに沿った中央部に向けて徐々に大きくなる。
【００２２】
上記した配線・配管材支持具連結体Ｅ1 は、作業者Ｍのベルト４１に挿通した吊下保持具Ｄに吊り下げることにより、天秤状に吊り下げられる。吊下保持具Ｄは、図５及び図６に示されるように、ベルト挿通孔３１を備えた厚板状の金具取付体３２と、当該金具取付体３２の下端部であって、作業者Ｍのベルト４１に挿通した状態で内側（作業者Ｍの側）となる部分に一体に設けられた吊下フック３３と、前記金具取付体３２の外側に配置されて、当該金具取付体３２の下端部に回動可能に連結されたわん曲状の保持金具３４とで構成される。保持金具３４は、線材をわん曲させて形成され、保持金具３４の外側の上端部に設けられた係止爪３５に解除可能に係止されて、複数の結束バンド等を水平方向に沿って重ねた状態で吊り下げて保持するのに使用される。
【００２３】
このため、図５及び図６に示されるように、作業者Ｍのベルト４１を吊下保持具Ｄのベルト挿通孔３１に挿通して、当該吊下保持具Ｄを作業者Ｍのベルト４１に保持させ、当該吊下保持具Ｄの吊下フック３３に配線・配管材支持具連結体Ｅ1 の吊下環部３ａを引っ掛けることにより、前記吊下保持具Ｄに配線・配管材支持具連結体Ｅ1 を天秤状に吊り下げておく。なお、配線・配管材支持具Ｓ1 の釘Ｎは、作業者Ｍの身体と反対側の空間部に配置可能なため、吊下保持具Ｄに吊り下げられた配線・配管材支持具連結体Ｅ1 の複数本の釘Ｎは、作業者Ｍの作業姿勢に対して障害とならない。
【００２４】
そして、一方の手でハンマー４２を持った作業者Ｍは、他方の手を自身の腰の付近に廻して、配線・配管材支持具連結体Ｅ1 の両端の配線・配管材支持具Ｓ1 のいずれか一方を掴んで曲げたり、捩じったりすると、配線・配管材支持具連結体Ｅ1 を構成している複数本の配線・配管材支持具Ｓ1 の各連結部Ｊ1 〜Ｊ4 の連結強度は、両端から中央に向けて徐々に大きくなっているため、両端から中央部に向けて配線・配管材支持具Ｓ1 を一つずつ引き離すことができる。このため、二つ或いは二つ以上の配線・配管材支持具Ｓ1 が同時に引き離される不具合がなくなって、配線・配管材支持具Ｓ1 を使用した配管作業を支障なく行える。また、配線・配管材支持具連結体Ｅ1 は、中央部の吊下部３を介して作業者Ｍのベルト４１に吊り下げられた吊下保持具Ｄに天秤状に吊り下げられているため、配線・配管材支持具連結体Ｅ1 から配線・配管材支持具Ｓ1 を一つずつ切り離す際には、両端に配置された配線・配管材支持具Ｓ1 を交互に切り離すことが望ましい。なお、切り離された配線・配管材支持具Ｓ1 は、固定部１に仮支持されている釘Ｎを側壁面（構築面）の配管経路に打ち付けて固定した後に、結束支持紐２により配線・配管材（図示せず）を結束支持して、配線・配管が行われる。
【実施例２】
【００２５】
次に、実施例２の配線・配管材支持具連結体Ｅ2 について説明する。実施例２の配線・配管材支持具連結体Ｅ2 は、実施例１の配線・配管材支持具連結体Ｅ1 において、各連結部Ｊ1 〜Ｊ4 の連結強度が変化する構造が異なるのみであるので、実施例１と異なる連結部Ｊ1'〜Ｊ4'の部分についてのみ説明する。図７は、配線・配管材支持具連結体Ｅ2 の各配線・配管材支持具Ｓ1 を連結する各連結部Ｊ1'〜Ｊ4'の連結強度が異なることを示す部分正面図であり、図８は、連結部Ｊ3'の模式的斜視図である。
【００２６】
各連結部Ｊ1'〜Ｊ4'の連結方向に沿った長さ（ａ）及び方形の断面を構成する各辺の長さ（ｂ，ｃ）は、全て同一である。また、各連結部Ｊ1'〜Ｊ4'の連結方向Ｐの一端部に形成された切断部Ｊ1a' 〜Ｊ4a' の断面に関しては、固定部１を構成する各円筒体部１ａ，１ｂの軸方向に沿った長さ（ｂ）は、全て同一であるが、各円筒体部１ａ，１ｂの軸方向、及び前記連結方向Ｐの双方に対して直交する方向に沿った長さｃ1 〜ｃ4 は、配線・配管材支持具連結体Ｅ2 の両端から中央部に向けて徐々に大きくなっている。その結果、各連結部Ｊ1'〜Ｊ4'の連結強度は、両端から連結方向Ｐの中央部に向けて徐々に大きくなっている。
【００２７】
よって、実施例２の配線・配管材支持具連結体Ｅ2 においても、両端から連結方向Ｐに沿った中央部に向けて、一つ（一本）ずつ配線・配管材支持具Ｓ1 を順次引き離すことができる。
【００２８】
断面積が同一の各連結部Ｊ1'〜Ｊ4'の連結強度を順次変化させる構造は、上記以外に種々考えられる。例えば、断面方形の各連結部Ｊ1'〜Ｊ4'の上面にＶ溝を設けて、当該Ｖ溝の部分で折り取る構成にして、各連結部Ｊ1'〜Ｊ4'の上面に設けられる各Ｖ溝の深さを両端から中央部に向けて徐々に浅くする構成が挙げられる。
【実施例３】
【００２９】
実施例３の配線・配管材支持具連結体Ｅ3 は、天井壁に固定して使用されるものであって、複数の配線・配管材支持具Ｓ3 が連結部Ｊ11〜Ｊ15を介して連結された構成である。配線・配管材支持具Ｓ3 は、天井壁に固定される方形板状の固定部２１と、当該固定部２１の下面の中央部に設けられた紐挿通支持部２１ａに挿通されて、素抜けないように前記紐挿通支持部２１ａに近い部分が捩じられた結束支持紐２２とで構成される。当該結束支持紐２２は、実施例１の結束支持紐２と同様に内部に細い金属線が埋設されて、塑性変形可能になっている。複数の配線・配管材支持具Ｓ3 の各固定部２１の対向辺の部分が連結部Ｊ11〜Ｊ15を介して連続板状に連結されて、各配線・配管材支持具Ｓ3 の固定部２１の部分は、細長比の大きな長方形状となっている。配線・配管材支持具Ｓ3 の固定部２１は、表面に多数の小孔２１ｂが明けられていて、当該多数の小孔２１ｂは、接着剤を介して当該固定部２１を天井壁に固定する際に、接着剤が入り込む部分となっている。
【００３０】
複数の配線・配管材支持具Ｓ3 の各固定部２１を連結している連結部Ｊ11〜Ｊ15は、連結方向Ｐに沿って幅Ｗを有していて、折り取りを容易にするために上面にＶ溝が形成されている。そして、最後に残る二つの配線・配管材支持具Ｓ3 の各固定部２１を連結する連結部Ｊ15を除いて、残りの各連結部Ｊ11〜Ｊ14の中央部には、連結方向Ｐと直交する方向Ｑに沿って空隙部Ｖ11〜Ｖ14が形成され、当該各空隙部Ｖ11〜Ｖ14の前記方向Ｑに沿った長さは、一端から他端に向けで徐々に短くなっている。この構成により、連結部Ｊ11〜Ｊ15を介して連結されている各固定部２１を切り離すための折取り力、即ち、各固定部２１の連結力は、配線・配管材支持具Ｓ3 の一端から他端に向けて徐々に大きくなる。また、他端に配置された配線・配管材支持具Ｓ3 の固定部２１の前記方向Ｑに沿った辺には、吊下環２３が設けられており、配線・配管材支持具連結体Ｅ3 は、当該吊下環２３が前記吊下保持具Ｄの吊下フック３３に引っ掛けられることにより、吊り下げられて、配線・配管材支持具Ｓ3 は、最下端に配置されたものから最上端に配置されたものに向けて、一つずつ切り離される。
【００３１】
また、配線・配管材支持具連結体Ｅ3 において、連結部Ｊ11〜Ｊ15の上面に設けられるＶ溝の深さを変化させることにより、連結強度を変化させることも可能である。
【００３２】
また、上記説明では、配線・配管材支持具連結体Ｅ1 〜Ｅ3 から配線・配管材支持具Ｓ1 （Ｓ3 ）を一つずつ切り離す例を示したが、例えば二本の配線・配管材を並列させて配線・配管する場合には、二つの配線・配管材支持具が一体となった状態で建築物の構築面に固定する方が便利である。この場合には、意識して二つの配線・配管材支持具を一体にしたままで、残りの配線・配管材支持具連結体から引き離すことも可能である。
【００３３】
また、実施例１，２においては、配線・配管材支持具Ｓ1 の連結方向Ｐに沿った中央部に吊下部３が形成され、実施例３においては、配線・配管材支持具Ｓ3 の連結方向Ｐに沿った他端に吊下環２３が形成されているため、当該吊下部３、或いは吊下環２３の存在そのものが、各連結部Ｊ1 〜Ｊ4 ，Ｊ1'〜Ｊ4'，Ｊ11〜Ｊ15の連結強度の変化があって、しかも当該連結強度の最も大きな部分であろうとの予測を作業者に対して与え得る。しかし、吊下部３或いは吊下環２３が形成されていない場合には、配線・配管材支持具の連結方向に沿って連結強度が変化している旨を表示する表示部、例えば「強度大」と「強度小」の表示を連結方向に沿った両端部に付すことにより、当該連結強度の変化を作業者に知らしめることができる。また、各連結部の連結強度が規則的に変化していることは、当該各連結部の外観から視覚的に認識できることが多いので、即ち、同一の配線・配管材支持具連結体を使用する作業者は、各連結部の外観の変化から経験的に、当該連結部の連結強度の規則的変化を知り得ることが多いので、連結部の外観の変化が顕著な場合には、敢えて前記表示部を付さなくてもよい場合もある。例えば、実施例１では、各連結部Ｊ1 〜Ｊ4 の断面の外径寸法の変化を、実施例２では、各連結部Ｊ1'〜Ｊ4'の切断部Ｊ1a' 〜Ｊ4a' の高さの変化を、更に実施例３では、各連結部Ｊ11〜Ｊ15に形成された空隙部Ｖ11〜Ｖ14の長さの変化を、いずれも視覚的に明瞭に認識できる。
【００３４】
なお、上記実施例１〜３では、配線・配管材を支持する支持部として、いずれも細い金属線が埋設されることにより塑性変形可能な結束支持紐が挙げられているが、当該支持部の他の例としては、配線・配管材を結束することなく単に支持するフック状のものもあり得る。
【符号の説明】
【００３５】
Ｄ：吊下保持具
Ｅ1 〜Ｅ3 ：配線・配管材支持具連結体
Ｊ1 〜Ｊ4,Ｊ1'〜Ｊ4', Ｊ11〜Ｊ15：連結部
Ｊ1a〜Ｊ4a, Ｊ1a' 〜Ｊ4a' ：切断部
Ｐ：連結方向
Ｓ1 ，Ｓ3 ：配線・配管材支持具
Ｖ11〜Ｖ14：連結部内に設けられた空隙部
１，１１，２１：固定部
２，１２，２２：結束支持紐（支持部）
【図１】
2010270821.tif 000003
【図２】
2010270821.tif 000004
【図３】
2010270821.tif 000005
【図４】
2010270821.tif 000006
【図５】
2010270821.tif 000007
【図６】
2010270821.tif 000008
【図７】
2010270821.tif 000009
【図８】
2010270821.tif 000010
【図９】
2010270821.tif 000011